(57)【要約】【課題】この発明は、重複した主番号に独自の枝番号が付加される形態のサービスに対する選局操作を、ユーザに混乱することなく容易に行なわせることを可能とした受信装置及び受信方法、表示装置及び表示方法を提供することを目的としている。【解決手段】入力した主番号に対応するサービスを選局するとともに、同一主番号に対して複数のサービスが選局される場合、その主番号に複数のサービス毎にそれぞれ対応する枝番号を付加し、主番号及び枝番号を入力することにより、その主番号及び枝番号に対応したサービスを選局する受信システムにおいて、入力した主番号に対して複数のサービスが選局される場合、その複数のサービスに関する情報をリスト表示する。【選択図】    図１
2004208173.tif 000002
【特許請求の範囲】
【請求項１】
主番号が入力されることにより、その主番号に対応したサービスを受信信号から選局する第１の選局手段と、
入力された主番号に対応したサービスが複数選局される場合、その主番号に対して、該主番号で選局される複数のサービス毎にそれぞれ対応する枝番号を付加する付加手段と、
主番号と枝番号とが入力されることにより、その主番号と枝番号とに対応したサービスを受信信号から選局する第２の選局手段と、
入力された主番号に対応したサービスが複数選局される場合、その複数のサービスに関する情報を表示可能に制御する制御手段とを具備してなることを特徴とする受信装置。
【請求項２】
前記制御手段は、入力された主番号で選局される複数のサービスに関する情報をリスト表示可能に制御することを特徴とする請求項１記載の受信装置。
【請求項３】
前記制御手段は、入力された主番号と、この主番号で選局される複数のサービス毎にそれぞれ付加された枝番号と、この枝番号に対応するサービスの情報とを、それぞれリスト表示可能に制御することを特徴とする請求項１記載の受信装置。
【請求項４】
前記制御手段によって表示可能に制御された複数のサービスに関する情報の中から所定のサービスを選択させる操作手段を具備し、
この操作手段によって選択されたサービスを前記第２の選局手段によって選局させることを特徴とする請求項１記載の受信装置。
【請求項５】
前記制御手段は、入力された主番号で選局される複数のサービスの各映像をマルチ画面表示可能に制御することを特徴とする請求項１記載の受信装置。
【請求項６】
前記制御手段によってマルチ画面表示可能に制御された複数のサービスの各映像の中から所定の映像を選択させる選択手段を具備し、
この選択手段によって選択された映像に対応した音声を再生可能に制御することを特徴とする請求項５記載の受信装置。
【請求項７】
主番号及び枝番号を入力するための複数のキーを含む操作手段と、
この操作手段のキーに、主番号に枝番号を付加した番号を割り当てて登録する登録手段とを具備してなることを特徴とする請求項１記載の受信装置。
【請求項８】
前記登録手段は、前記操作手段の１つのキーに対して、主番号に異なる枝番号をそれぞれ付加した複数の番号を割り当てて登録可能であり、
前記操作手段は、キーが操作される毎に、登録された複数の番号をサイクリックに操作情報として出力することを特徴とする請求項７記載の受信装置。
【請求項９】
主番号を入力して、その主番号に対応したサービスを選局する工程と、
入力された主番号に対応したサービスが複数選局される場合、その主番号に対して、該主番号で選局される複数のサービス毎にそれぞれ対応する枝番号を付加する工程と、
主番号と枝番号とが入力されることにより、その主番号と枝番号とに対応したサービスを選局する工程と、
入力された主番号に対応したサービスが複数選局される場合、その複数のサービスに関する情報を表示可能に制御する工程と、
表示可能に制御された複数のサービスに関する情報の中から所定のサービスを選択させる工程と、
選択されたサービスを選局する工程とを有することを特徴とする受信方法。
【請求項１０】
主番号を入力することにより、その主番号に対応したサービスが選局され、入力された主番号に対応したサービスが複数選局される場合には、その主番号に対して、該主番号で選局される複数のサービス毎にそれぞれ対応する枝番号を付加し、主番号及び枝番号を入力することにより、その主番号及び枝番号に対応したサービスが選局されるシステムによって制御され、入力された主番号に対応したサービスが複数選局される場合、その複数のサービスに関する情報を表示する制御手段を具備してなることを特徴とする表示装置。
【請求項１１】
前記制御手段は、入力された主番号で選局される複数のサービスに関する情報をリスト表示することを特徴とする請求項１０記載の表示装置。
【請求項１２】
前記制御手段は、入力された主番号と、この主番号で選局される複数のサービス毎にそれぞれ付加された枝番号と、この枝番号に対応するサービスの情報とを、それぞれリスト表示することを特徴とする請求項１０記載の表示装置。
【請求項１３】
前記制御手段は、入力された主番号で選局される複数のサービスの各映像をマルチ画面表示することを特徴とする請求項１０記載の表示装置。
【請求項１４】
前記制御手段によって表示された複数のサービスに関する情報の中から、所定のサービスを表示画面上で選択させる操作手段を具備してなることを特徴とする請求項１０記載の表示装置。
【請求項１５】
主番号を入力することにより、その主番号に対応したサービスが選局され、入力された主番号に対応したサービスが複数選局される場合には、その主番号に対して、該主番号で選局される複数のサービス毎にそれぞれ対応する枝番号を付加し、主番号及び枝番号を入力することにより、その主番号及び枝番号に対応したサービスが選局されるシステムにおいて、
入力された主番号に対応したサービスが複数選局される場合、その複数のサービスに関する情報を表示することを特徴とする表示方法。
【発明の詳細な説明】
【０００１】
【発明の属する技術分野】
この発明は、例えば地上波デジタルテレビジョン放送の受信に好適する受信装置及び受信方法、表示装置及び表示方法に係り、特にその選局操作を容易化するようにしたものに関する。
【０００２】
【従来の技術】
周知のように、近年では、テレビジョン放送のデジタル化が推進されている。そして、現状では、ＢＳ（Broadcasting Satellite）デジタル放送及び１１０度ＣＳ（Communication Satellite）デジタル放送等の衛星放送だけでなく、地上波デジタル放送も開始される運びとなっている。
【０００３】
この地上波デジタル放送は、衛星放送と異なり、日本全域を目標とした一斉放送ができないこと、また、現状の地上波アナログ放送によって培われた地域主体の概念が定着していることなどから、その運用規格において様々な制限が絡み合っている。
【０００４】
ここで、地上波デジタル放送では、日本全域をユニークなネットワークエリアに分割し、１つのネットワークエリアにはいくつかの送出マスター（放送局）を割り当てる方式を採用している。そして、１つの送出マスターには、１つのネットワーク識別が扱えられている。現行の地上波アナログ放送に例えれば、各放送局毎にそれぞれ異なるネットワークが与えられるという概念である。
【０００５】
そして、この地上波デジタル放送では、各ネットワークエリア毎に独自にいくつかのサービス（チャンネル）が存在しており、各サービスは３桁の主番号で識別されるようになっている。つまり、受信機側では、この３桁の主番号を入力することにより、所望のサービスを選局することが可能となる。
【０００６】
この３桁の主番号は、各サービスに与えられる「サービス種別」と、リモートコントローラのキーを識別するための「remote_control_key_id」と、「サービス番号」との、３つの情報からなる定義式により算出される。
【０００７】
この３桁の主番号は、ネットワークエリア毎に管理され、同一ネットワークエリア内では重複することがないように各放送事業者に割り振られている。ところが、この３桁の主番号は、異なるネットワークエリア間においては、重複することがあり得るものとなっている。
【０００８】
前述した地上波デジタル放送における制限事項の１つに、越境地域に関する問題がある。これは、複数のネットワークエリアの境界に対応する地域では、自己の居住地の放送以外に、隣接するネットワークエリアの放送も視聴できるので、３桁の主番号が重複する可能性が生じるという問題である。
【０００９】
地上波デジタル放送の運用規程においては、主番号の重複が発生した場合は、重複した主番号に１桁の枝番号を付加することとしている。この枝番号は、０から最大９まで付加することができるが、放送局で規定したものではなく、受信機側で発生するものであるため、受信機毎に異なった数字になる。
【００１０】
このため、本来なら、３桁の主番号を入力するだけで所望のサービスを選局することができるのに対し、ネットワークエリアの境界付近において重複した主番号が存在する場合には、３桁の主番号に１桁の枝番号を付加した４桁の番号を入力する必要があり、選局操作が煩雑になるという問題が生じる。
【００１１】
また、枝番号は、受信機毎に発行されるローカルな番号であるため、標準的に認識される可能性、つまり、新聞のテレビジョン番組欄やテレビジョン番組の情報雑誌等に掲載される可能性は非常に低く、ユーザの選局操作がより煩雑なものとなる。
【００１２】
なお、特許文献１として提示した特開平１１−２７５９１号公報には、ダイレクト選局モードが設定された場合、ＣＳモードにすると、地上波放送選局用のテンキーによる３桁入力または衛星放送選局用のキーによるプリセット選局によって、ＣＳ放送の所望のチャンネルを選局可能とした構成が開示されている。
【００１３】
また、特許文献２として提示した特開平１１−１６４２１４号公報には、デジタルテレビジョン放送用チューナと地上波テレビジョン放送用チューナとを、入力されたチャンネル番号に基づいて切り替えることにより、モード切り替えキーの操作を不要にする構成が開示されている。
【００１４】
しかしながら、これら特許文献１，２には、いずれも、地上波デジタル放送において、主番号が重複した場合に受信機側で独自に発生される枝番号をも考慮して、ユーザの選局操作を容易化することについては、何らの記載もなされていないものである。
【００１５】
【特許文献１】
特開平１１−２７５９１号公報
【００１６】
【特許文献２】
特開平１１−１６４２１４号公報
【００１７】
【発明が解決しようとする課題】
そこで、この発明は上記事情を考慮してなされたもので、重複した主番号に独自の枝番号が付加される形態のサービスに対する選局操作を、ユーザに混乱することなく容易に行なわせることを可能とした受信装置及び受信方法、表示装置及び表示方法を提供することを目的とする。
【００１８】
【課題を解決するための手段】
この発明に係る受信装置は、主番号が入力されることにより、その主番号に対応したサービスを受信信号から選局する第１の選局手段と、入力された主番号に対応したサービスが複数選局される場合、その主番号に対して、該主番号で選局される複数のサービス毎にそれぞれ対応する枝番号を付加する付加手段と、主番号と枝番号とが入力されることにより、その主番号と枝番号とに対応したサービスを受信信号から選局する第２の選局手段と、入力された主番号に対応したサービスが複数選局される場合、その複数のサービスに関する情報を表示可能に制御する制御手段とを備える。
【００１９】
また、この発明に係る受信方法は、主番号を入力して、その主番号に対応したサービスを選局する工程と、入力された主番号に対応したサービスが複数選局される場合、その主番号に対して、該主番号で選局される複数のサービス毎にそれぞれ対応する枝番号を付加する工程と、主番号と枝番号とが入力されることにより、その主番号と枝番号とに対応したサービスを選局する工程と、入力された主番号に対応したサービスが複数選局される場合、その複数のサービスに関する情報を表示可能に制御する工程と、表示可能に制御された複数のサービスに関する情報の中から所定のサービスを選択させる工程と、選択されたサービスを選局する工程とを有する。
【００２０】
さらに、この発明に係る表示装置は、主番号を入力することにより、その主番号に対応したサービスが選局され、入力された主番号に対応したサービスが複数選局される場合には、その主番号に対して、該主番号で選局される複数のサービス毎にそれぞれ対応する枝番号を付加し、主番号及び枝番号を入力することにより、その主番号及び枝番号に対応したサービスが選局されるシステムによって制御され、入力された主番号に対応したサービスが複数選局される場合、その複数のサービスに関する情報を表示する制御手段を備える。
【００２１】
また、この発明に係る表示方法は、主番号を入力することにより、その主番号に対応したサービスが選局され、入力された主番号に対応したサービスが複数選局される場合には、その主番号に対して、該主番号で選局される複数のサービス毎にそれぞれ対応する枝番号を付加し、主番号及び枝番号を入力することにより、その主番号及び枝番号に対応したサービスが選局されるシステムにおいて、入力された主番号に対応したサービスが複数選局される場合、その複数のサービスに関する情報を表示する。
【００２２】
上記のような構成及び方法によれば、入力された主番号に対応したサービスが複数選局される場合、その複数のサービスに関する情報を表示させるようにしたので、この表示によりユーザが所望の放送局を容易に選択することができるようになるので、ユーザの選局操作を容易化することが可能となる。
【００２３】
【発明の実施の形態】
以下、この発明の実施の形態について、図面を参照して詳細に説明する。図１は、この実施の形態で説明する地上波デジタルテレビジョン放送対応の受信装置を示している。図１において、符号１１はアンテナで、映像信号及び音声信号とともにＳＩ（Service Information）情報［ＰＳＩ（Program Specific Information）情報を含む］を多重して送信されたデジタル放送信号を受信している。
【００２４】
このアンテナ１１は、受信したデジタル放送信号をチューナ部１２に出力している。このチューナ部１２は、制御コントロール部１３からの制御信号に基づいて、入力されたデジタル放送信号の中から所定の伝送チャンネルのデジタル信号を選局し、エラー訂正回路１４に出力している。
【００２５】
このエラー訂正回路１４は、入力されたデジタル信号に復調処理を施し、誤り訂正処理を施した後、スクランブル制御回路１５に出力している。このスクランブル制御回路１５は、入力されたデジタル信号にスクランブル処理が施されている場合、そのスクランブル処理を解除するデスクランブル処理を施して多重データ分離回路１６に出力している。
【００２６】
この多重データ分離回路１６は、入力されたデジタル信号を、そのビットストリームに含まれる識別情報ＩＤに基づいて、音声信号と映像信号とＳＩ情報とにパケット分離する。
【００２７】
そして、この多重データ分離回路１６は、分離したＳＩ情報を制御コントロール部１３に出力し、音声信号をＭＰＥＧ（Moving Picture Experts Group）音声再生回路１７に出力し、映像信号をＭＰＥＧ映像再生回路１８に出力している。
【００２８】
このうち、ＭＰＥＧ映像再生回路１８は、入力された映像信号が圧縮符号化されたものであるため、この映像信号にデコード処理を施し、デコード処理後の映像信号をＯＳＤ（On Screen Display）回路１９に出力している。
【００２９】
また、制御コントロール部１３は、多重データ分離回路１６から供給されたＳＩ情報に基づいて、表示に要求されるＯＳＤ信号を生成し、ＯＳＤ回路１９に出力している。
【００３０】
そして、このＯＳＤ回路１９は、ＭＰＥＧ映像再生回路１８から供給された映像信号と、制御コントロール部１３から供給されたＯＳＤ信号とを重畳して、ＣＲＴ（Cathode Ray Tube）２０に出力し、映像表示させる。
【００３１】
また、上記ＭＰＥＧ音声再生回路１７は、入力された音声信号が圧縮符号化されたものであるため、この音声信号にデコード処理を施し、デコード処理後の音声信号をスピーカ２１に出力して音声再生させている。
【００３２】
ここで、上記した受信装置は、その全ての動作を、制御コントロール部１３によって統括的に制御している。この制御コントロール部１３は、図示しないＣＰＵ（Central Processing Unit）を内蔵しており、リモートコントローラ２２から送出される操作情報を受信し、その操作内容が反映されるように、各回路部をそれぞれ制御している。
【００３３】
図２は、このリモートコントローラ２２の外観を示している。すなわち、このリモートコントローラ２２は、電源キー２２ａ、チャンネルアップダウンキー２２ｂ、メニューキー２２ｃ、「１」〜「１２」までの数字キー２２ｄ、上下左右キー２２ｅ１〜２２ｅ４、決定キー２２ｆ、通常画面キー２２ｇ及び取消キー２２ｈ等を備えている。
【００３４】
上記のような構成において、以下、図３に示すフローチャートを参照して、その特徴的な動作を説明する。まず、地上波デジタル放送に対応したこの受信装置は、例えばユーザが購入して自宅等に設置したとき、初期設定として、受信可能な全てのサービスをスキャンしてサービスリストを作成する。
【００３５】
また、このとき、同一の主番号に対して複数のサービスが存在した場合、受信装置は、運用規格で規定されたルールに基づいて１桁の枝番号を発行し、上記サービスリストの主番号に付加する。
【００３６】
このような初期設定が行なわれた状態で、開始（ステップＳ１）されると、制御コントロール部１３は、ステップＳ２で、ユーザが所望のサービスを選局すべく、リモートコントローラ２２の数字キー２２ｄを操作して、３桁の主番号を入力したか否かを判別する。
【００３７】
そして、主番号の入力が完了したと判断された場合（ＹＥＳ）、制御コントロール部１３は、ステップＳ３で、主番号の重複した複数のサービスがあるか否かを判別し、ないと判断された場合（ＮＯ）、ステップＳ６で、入力された主番号のサービスを選局して、処理を終了（ステップＳ７）する。
【００３８】
また、上記ステップＳ３で、主番号の重複した複数のサービスがあると判断された場合（ＹＥＳ）、制御コントロール部１３は、ステップＳ４で、上記サービスリストに基づいて、重複サービスリストをＣＲＴ２０に表示させる。
【００３９】
この重複サービスリストは、主番号が重複した複数のサービスに関する情報をリストにしたもので、例えば、図４に示すように、３桁の主番号（ここでは地上波デジタル放送であることをユーザに示すために「地上１１０」と表示している）と、その主番号にそれぞれ付加された複数（ここでは３つ）の枝番号「０」，「１」，「２」と、各枝番号に対応したサービスの情報として放送局名Ａ，Ｂ，Ｃとを、対応的に表示するものである。
【００４０】
ここで、重複サービスリスト上において、３対の枝番号と放送局名との組み合わせのうち、１つの組み合わせが枠状のカーソルＫによって囲まれている。このカーソルＫは、リモートコントローラ２２の上下キー２２ｅ１，２２ｅ２を選択的に操作することにより、画面上で上下に移動し、枝番号と放送局名との組み合わせを任意に選択することができる。
【００４１】
このため、ユーザは、カーソルＫを移動させて所望の枝番号と放送局名との組み合わせを選択し、リモートコントローラ２２の決定キー２２ｆを操作することにより、主番号が重複する複数のサービスから所望のサービスを容易に選局することが可能になる。
【００４２】
そして、制御コントロール部１３は、ステップＳ５で、ユーザによって重複サービスリストから所定の枝番号と放送局名との組み合わせが選択され決定されたことを判別すると、ステップＳ６で、現在の主番号と選択された枝番号とから対応するサービスを選局して、処理を終了（ステップＳ７）する。
【００４３】
上記した実施の形態によれば、入力した３桁の主番号に対して複数のサービスが選局される場合、その重複している複数のサービスに関する情報を一覧する重複サービスリストを表示させ、このリスト上で所望の放送局を選択し得るようにしたので、ユーザの選局操作を容易化することが可能となる。
【００４４】
また、図４に示した重複サービスリストの表示画面においては、リストの背景には何も映像を表示させず、所望の放送局名がカーソルＫで選択され決定されたときに、その放送局のサービスを映像表示する表示形態や、リストの背景に、カーソルＫが位置している放送局のサービスを映像表示させる表示形態等が考えられる。
【００４５】
さらに、リストに表示された枝番号を、リモートコントローラ２２の数字キー２２ｄで直接指定することも可能である。この場合、リモートコントローラ２２の「１０」の数字キー２２ｄを、枝番号の「０」を入力する数字キーとして兼用することができる。なお、このようにする場合には、「１０」の数字キー２２ｄに対して「１０／０」のような表示を付しておくと便利である。
【００４６】
図５は、上記重複サービスリストの他の表示例を示している。すなわち、重複した主番号「１１０」に対応する複数（図示の場合は３つ）の放送局Ａ，Ｂ，Ｃのサービスによる映像を、ＣＲＴ２０にマルチ画面で表示している。
【００４７】
この場合、各マルチ画面には、地上波デジタル放送であることを示すための「地上」と、３桁の主番号（ここでは「１１０」と表示している）に１桁の枝番号「０」，「１」，「２」を付加した番号と、各枝番号に対応したサービスの情報として放送局名Ａ，Ｂ，Ｃとを表示している。
【００４８】
この重複サービスリスト上において、３つのマルチ画面のうちの１つが太枠状のカーソルＫによって囲まれている。このカーソルＫは、リモートコントローラ２２の左右キー２２ｅ３，２２ｅ４を選択的に操作することにより、画面上で左右に移動し、マルチ画面を任意に選択することができる。
【００４９】
このため、ユーザは、カーソルＫを移動させて所望のマルチ画面を選択し、リモートコントローラ２２の決定キー２２ｆを操作することにより、主番号が重複する複数のサービスから所望のサービスを容易に選局することが可能になる。特に、この場合は、主番号が重複する複数のサービスの映像を見ることができるため、ユーザの選局操作をより一層容易化することが可能となる。
【００５０】
また、この場合、カーソルＫによって選択されたマルチ画面については、その音声も再生させるようにすれば、ユーザの選局操作をさらに容易化することが可能となる。
【００５１】
次に、３桁の主番号及びこの主番号に１桁の枝番号を付加した４桁の番号を、リモートコントローラ２２の１２個の数字キー２２ｄの１つに割り当てて登録することができる。
【００５２】
例えば、主番号「１０９」を「１」の数字キー２２ｄに割り当て、番号「１１００」を「２」の数字キー２２ｄに割り当て、番号「１１０１」を「３」の数字キー２２ｄに割り当て、番号「１１０２」を「４」の数字キー２２ｄに割り当て、主番号「１１１」を「５」の数字キー２２ｄに割り当てることが可能である。
【００５３】
このようにすれば、１つの数字キー２２ｄを操作するだけの簡単な操作によって、３桁の主番号または４桁の番号に対応するサービスを容易に選局することが可能となる。
【００５４】
また、重複する主番号にそれぞれ異なる枝番号を付加してなる複数の４桁の番号を、リモートコントローラ２２の１２個の数字キー２２ｄの１つに割り当てることができる。例えば、番号「１１００」，「１１０１」，「１１０２」を、全て「１」の数字キー２２ｄに割り当てて登録することが可能である。
【００５５】
この場合、「１」の数字キー２２ｄを操作する毎に、例えば枝番号の若い、番号「１１００」，「１１０１」，「１１０２」の順序で、サイクリックに番号が操作情報として出力され選局が行なわれるようになる。
【００５６】
なお、全ての主番号及び４桁の番号を、数字キー２２dに割り当てる必要はなく、例えば、「１０９」のみ、または、「１１００」と「１１０２」のように、ユーザが必要なサービスに対応する番号を、１つの数字キー２２ｄに割り当てればよいものである。
【００５７】
ここで、このような割り当てを行なう場合、まず、リモートコントローラ２２の数字キー２２ｄの中で割り当てを行なうキーを設定する。このような設定状態において、図６（ａ）に示すように、ＣＲＴ２０の画面上に番号リストを表示させる。
【００５８】
この番号リストには、重複しない主番号は３桁で、重複する主番号は１桁の枝番号を付加した４桁で一覧表示されている。そして、いずれかの番号が枠状のカーソルＫによって囲まれている。このカーソルＫは、リモートコントローラ２２の上下キー２２ｅ１，２２ｅ２を選択的に操作することにより、画面上で上下に移動し、番号を任意に選択することができる。
【００５９】
このため、ユーザは、カーソルＫを移動させて所望の番号を選択し、リモートコントローラ２２の決定キー２２ｆを操作することにより、その番号が先に設定された数字キー２２ｄに割り当てられることになる。
【００６０】
また、図６（ｂ）は、番号リストの他の例を示している。この番号リストには、重複しない主番号は３桁で、重複する主番号は１桁の枝番号を付加した４桁で一覧表示されている。そして、全ての番号の頭には、それぞれチェック窓が表示されており、リモートコントローラ２２の決定キー２２ｆ等でチェック窓にレ印のチェックを付すことにより、その番号が、先に設定された数字キー２２ｄに割り当てられることになる。
【００６１】
ここで、上記した実施の形態では、ＣＲＴ２０及びスピーカ２１を内蔵した、いわゆるテレビジョン受信装置を例にして説明したが、この発明はテレビジョン受信装置に限るものではなく、例えば、ＣＲＴやスピーカを外付けする、いわゆるテレビジョンチューナやＳＴＢ（Set Top Box）等にも広く適用することが可能である。
【００６２】
なお、この発明は上記した実施の形態に限定されるものではなく、この外その要旨を逸脱しない範囲で種々変形して実施することができる。
【００６３】
【発明の効果】
以上詳述したようにこの発明によれば、重複した主番号に独自の枝番号が付加される形態のサービスに対する選局操作を、ユーザに混乱することなく容易に行なわせることを可能とした受信装置及び受信方法、表示装置及び表示方法を提供することができる。
【図面の簡単な説明】
【図１】この発明の実施の形態を示すもので、地上波デジタル放送対応の受信装置を説明するために示すブロック構成図。
【図２】同実施の形態における受信装置のリモートコントローラの外観を説明するために示す図。
【図３】同実施の形態における特徴的な動作を説明するために示すフローチャート。
【図４】同実施の形態における重複サービスリストの一例を説明するために示す図。
【図５】同実施の形態における重複サービスリストの他の例を説明するために示す図。
【図６】同実施の形態におけるリモートコントローラの任意のキーにサービスの番号を割り当てるための番号リストを示す図。
【符号の説明】
１１…アンテナ、１２…チューナ部、１３…制御コントロール部、１４…エラー訂正回路、１５…スクランブル制御回路、１６…多重データ分離回路、１７…ＭＰＥＧ音声再生回路、１８…ＭＰＥＧ映像再生回路、１９…ＯＳＤ回路、２０…ＣＲＴ、２１…スピーカ、２２…リモートコントローラ。
【図１】
2004208173.tif 000003
【図２】
2004208173.tif 000004
【図３】
2004208173.tif 000005
【図４】
2004208173.tif 000006
【図５】
2004208173.tif 000007
【図６】
2004208173.tif 000008